(57)【要約】【課題】  受験者や自習者が制限時間到達時に於いて筆記具の使用を禁止することが出来、なおかつ筆記具が不使用の状態であることを証明でき、筆記具が不使用でない場合の証拠を得ることが出来る試験時等計時用時計を得る。【解決手段】  所定時間を経過するとアラーム信号を発するタイマー２０と、予め定められた個数の文具を各々収納する筆記具収納体１ａ、消しゴム収納体１ｂと、各収納体１ａ，１ｂ内に前記文具が収納されたことを検知する検知スイッチ３０と、前記収納体１ａ，１ｂ内に予め定められた個数の文具が収納されたことの前記検知スイッチ３０による検出に応答し前記タイマー２０をリセットするリセット手段４０，６０とを備えたことを特徴とする。【選択図】図２
0003159130.tif 000002
【実用新案登録請求の範囲】
【請求項１】
所定時間を経過するとアラーム信号を発するタイマーと、予め定められた個数の文具を各々収納する収納体と、前記各収納体内に前記文具が収納されたことを検知する検知スイッチと、前記収納体に予め定められた個数の文具が収納されたことを前記検知スイッチが検出したことに応答して前記タイマーをリセットする等のリセット手段とを備えたことを特徴とする試験時等計時用時計。
【考案の詳細な説明】
【技術分野】
【０００１】  この考案は、試験会場や自宅学習用に使用されるアラームや警告表示機能を備えた試験時等計時用時計に関する。
【背景技術】
【０００２】  従来、筆記具入れに減算タイマーを備えたものがある。（例えば特許文献１参照）。
【先行技術文献】
【特許文献】
【０００３】
【特許文献１】  実開昭６３−１６９９２３号公報
【考案の概要】
【考案が解決しようとする課題】
【０００４】  従来の筆記具入れに減算機能を備えたものは、試験実施者や監督官等が、受験者が制限時間到来時以後に筆記具を不使用であるかどうかを、きちんと管理し、万が一、ある受験者が筆記具等を利用している場合において当該受験者を失格扱いにする証拠を得る等、きちんと対処する十分な便宜を慮ることができなかった。つまり、制限時間到達時に筆記具を使用できないようにする構造や仕組みになっておらず、かつ、筆記具が不使用である状態を証明できないという問題点があった。【０００５】  この考案は、上述のような問題点を解決するためになされたもので、受験者や自習者が制限時間到達時に於いて筆記具の使用を禁止することができ、なおかつ筆記具が不使用である状態を証明でき、不使用でない場合の証拠を得る試験時等計時用時計を得ることを目的とする。
【課題を解決するための手段】
【０００６】  この考案の試験時等計時用時計は、所定時間を経過するとアラーム信号を発するタイマーと、予め定められた個数の文具を各々収納する収納体と、前記各収納体内に前記文具が収納されたことを検知する検知スイッチと、前記各収納体内に予め定められた個数の文具が収納されたことの前記検知スイッチによる検出に応答し前記タイマーをリセットする等操作するリセット手段とを備えたものである。
【考案の効果】
【０００７】  この考案の試験時等計時用時計は一つの物体に少なくともタイマーと文具収納体を備え、かつ、試験や演習用に制限時間到来時以降の筆記具使用を禁止する装置、仕組みを備えたことで、簡便な文具管理を実現するとともに、試験実施者・受験者・自宅学習者等が、簡便に、正確に、公正に、受験や演習などの時間管理が可能であるという点で役立つ。また、安価で簡単、環境にも配慮可能だが要点を逃さない、簡素なメカ設計の実現と、簡便・正確で機能性に優れた利用方法の提案と実現により、試験実施者や試験管理者等の試験運営を経済的に安全に効率的に援助可能であるという点でも優れている。
【図面の簡単な説明】
【０００８】
【図１】本考案の実施例１で試験時等計時用時計を示す斜視図である。
【図２】本考案の実施例１で試験時等計時用時計の基本構造となる回路図である。
【図３】本考案の実施例２で試験時等計時用時計の回路図である。
【考案を実施するための形態】
【実施例１】
【０００９】  図１は、この考案の実施例１である試験時等計時用時計を示す斜視図である。図に於いて、１００は試験時等計時用時計である。１０は箱であり、上部に収納体１、例えば、筆記具を入れる筆記具収納体１ａと消しゴムを入れる消しゴム収納体１ｂとが一個若しくは複数個備えられている。２０はタイマーであり、従来の腕時計・置時計等に備えられた設定時間逆算方式の型で、設定時間到達時にアラームが鳴るという基本性能を有するというものである。５０はセットスイッチであり試験開始前に文具を引き抜いてから当該セットスイッチ５０を押すという手順で使用する。７０はスピーカーでありタイマー逆算終了時にアラーム音を発する機能を有する。この機能は応用例の一つとして電波で中央制御装置若しくはシステムに信号を発する機能に替えて、もしくは追加してもよい。１２０はタイマー逆算開始スイッチでありこれを押すことによりタイマーの逆算が開始される。１３０は時間設定スイッチでありタイマー逆算の対象となる時間の設定を行う。【００１０】  図２は、この考案の実施例１である試験時等計時用時計の基本構造となる回路図である。１は収納体であり予め定められた個数の文具を各々収納する。大きく分類して以下の１ａと１ｂとからなる。１ａは筆記具収納体であり鉛筆やシャープペンシルなどを収納する。１ｂは消しゴム収納体であり消しゴムを収納する。２０はタイマーであり従来の腕時計・置時計等の設定時間逆算方式の型で、設定時間到達時にアラームが鳴るという基本性能を有するというものである。３０は検知スイッチであり各収納体１ａ，１ｂ内に前記文具が収納若しくは取り出しされたことを検知するために前記収納体１の底部や内壁などに取り付ける。【００１１】  ４０はリセット手段であり文具引き抜き後に、後記するセットスイッチ５０を閉じることにより、試験終了時に予め定められた個数の文具が収納されたことを前記検知スイッチ３０が検出したことに応答して回路が通電すると同時にセットスイッチ５０を開く。５０はセットスイッチであり、試験開始前に文具を引き抜いてから当該セットスイッチ５０を押すという手順で使用する。６０は４０の他のリセット手段であるタイマー逆算解除手段であり、前記検知スイッチ３０を含む直列回路上にあり、当該直列回路の通電により前記タイマー２０の逆算を解除する機能を有する。７０はスピーカーであり、タイマー逆算終了時にアラーム音を発する機能を有する。この機能は電波で中央制御装置若しくはシステムに信号を発する機能に替えて、もしくは追加してもよい。８０は電池であり、ソーラー電池でもよいし、従来の乾電池やボタン電池などでもよい。１２０はタイマー逆算開始スイッチである。これを押すことによりタイマーの逆算が開始される。１３０は時間設定スイッチである。これによりタイマー逆算の対象となる時間の設定を行う。以上が基本構造である。【００１２】  上述のように構成された試験時等計時用時計１００の使用方法を図１及び図２に基づき説明する。先ず、試験実施者、監督官、講師などが予め準備した筆記具及び消しゴムが収納体１にセットされた試験時等計時用時計１００を試験前に受験生に与える。続いて、テスト開始前に受験番号や氏名などを記入する���めに筆記具と消しゴムを収納体１から抜いてセットスイッチ５０を入れる。次に受験番号や氏名などの記入を済ませ、机の上に当該筆記具・消しゴムを置く。次に時間設定スイッチ１３０を試験実施者、試験監督官、講師、自習者などが操作してあらかじめ逆算対象時間を入力し、タイマー逆算開始スイッチ１２０を押せば試験や演習の開始となる。次に試験の制限時間前に筆記具と消しゴムを全て収納すると検知スイッチ３０全てがオンになり、検知スイッチ３０に関して直列な回路が通電してタイマー逆算解除手段６０が働き、タイマー２０の逆算を解除する。このときリセット手段４０も同時に働き、セットスイッチ５０を解除する。もし、制限時間ジャストに逆算が達した場合にはスピーカー７０からアラーム音が鳴る。後は段落００１２の最初から順番に操作すれば繰り返し同様に使用できるという具合である。以上が使用方法であるが、試験時等計時用時計１００を試験前に受験生に与える時には、別の例として試験時等計時用時計１００を、中央管理装置などを含めたシステムの一環として予め机にネジやマグネットなどで固定させておくという手段がある。また、特に大規模な試験実施の場合、セットスイッチ５０及び時間設定スイッチ１３０及びタイマー逆算開始スイッチ１２０は、受験者側が操作不可能なように試験実施者等側が保有する中央管理装置からの遠隔操作により電波などを用いて操作する応用例が考えられる。この応用例に基づけば、例えば制限時間ジャストに逆算が達した場合には試験実施者等側が保有する中央管理装置への電波等信号の送信により当該試験時等計時用時計１００の製造番号若しくは受験番号等が自動的に通知されるようにすれば、失格者を一元的に把握できる。また、検知スイッチ３０に関しては最新鋭の赤外線センサー等を用いる等の応用例も想像に難くない。【００１３】  この考案の試験時等計時用時計は、制限時間終了時までに収納体１に完全に筆記具や消しゴムを収納することによりタイマー２０の逆算を解除し、制限時間超過をアラーム７０や電波などで試験監督官などに知らせ、場合によっては筆記具や消しゴムをロックする機能をも付加するので、受験者や自習者が制限時間到達時に於いて筆記具の使用を禁止することができ、また、筆記具が不使用の状態であることを証明することができ、さらに筆記具が不使用でない場合の証拠を得ることが出来る。
【実施例２】
【００１４】  図３は、この考案の実施例２である試験時等計時用時計の応用例の一つを示す回路図である。１は筆記具収納体１ａと消しゴム収納体１ｂとから成る。１ａは筆記具を収納し、１ｂは消しゴムを収納する。２０はタイマーであり、従来の腕時計・置時計等の設定時間逆算方式の型で、設定時間到達時にアラームが鳴るという基本性能を有するというものである。３０は検知スイッチであり、筆記具収納体１ａ，消しゴム収納体１ｂ内に前記文具が収納若しくは取り出しされたことを検知するために前記収納体１ａ，１ｂの底部や内壁などに取り付ける。【００１５】  ４０はリセット手段であり、前記収納体１ａ，１ｂに予め定められた個数の文具が収納されたことを前記検知スイッチ３０が検出したことに応答して前記タイマー２０をリセットする。すなわち、一度文具を引き抜かれて前記検知スイッチ３０が直列された回路に再度通電した際に前記タイマー２０をリセットしてタイマー逆算をストップさせる機能である。このとき、試験終了の合図をモニター表示させるか、中央制御装置に試験終了の信号を送るなどの手段の応用が考えられる。つまり、受験生が回答に要した時間を記録するという応用である。７０はスピーカーであり、タイマー逆算終了時にアラーム音を発する機能を有する。この機能は電波で中央制御装置若しくはシステムに信号を発する機能に替えて、もしくは追加してもよい。８０は電池であり、ソーラー電池でもよいし、従来の乾電池やボタン電池などでもよい。【００１６】  ９０はばねであり、前記収納体１ａ，１ｂの底部や内壁などに取り付けられ、１の収納体１ａ，１ｂに文具が挿入されているときは当該ばね９０と前記電池８０と後記するタイマー逆算開始スイッチ１２０がつながる当該ばね９０において並列な回路が切られているが、文具を引き抜くことによって当該並列回路にある後記するタイマー逆算開始スイッチ１２０が入る仕組みになっている。１１０は時計である。これは電波時計でもよい。また、電池式の従来の時計でもよい。１２０はタイマー逆算開始スイッチであり、後記するタイマー逆算開始時間セットスイッチ１５０を押して以後の最初の通電時からタイマー逆算を開始させる機能である。前記ばね９０の、アとイ、ウとエ、オとカ、キとクのいずれかの並列回路の通電により後記するタイマー逆算開始時間セットスイッチ１５０で設定したタイマーの逆算が開始される仕組みになっている。【００１７】  １３０は時間設定スイッチである。前記タイマー２０による逆算対象となる時間を設定する。１５０はタイマー逆算開始時間セットスイッチである。タイマー逆算の開始時刻（年月日）をセットする。実施例２は、タイマー逆算開始及び逆算解除というタイマー操作手段に関して、スイッチ操作によるのではなく、収納体１ａ，１ｂから文具を挿入したり引き抜いたりして自動で行う手段であるが、試験等開始時刻が到来することにより自動的にタイマー逆算開始となる仕組みにする手段、及び、当該時刻から文具引き抜きまでの反応時刻・反応時間を計測する機能を有するようにするなどの余地がある。これに関しては前記タイマー２０と前記リセット手段４０と前記時計１１０と前記タイマー逆算開始スイッチ１２０、及び、時間設定スイッ���１３０やタイマー逆算開始時間セットスイッチ１５０を含む装置群内の回路設計やシステム設計の問題である。以上の説明に関しては、ここでは、試験等開始時刻が到来してから、受験生が収納体１より文具を取り出した時点を起点に自動的にタイマー逆算開始となる仕組みにする手段、及び、タイマー逆算開始及び逆算解除というタイマー操作手段を収納体１ａ，１ｂから文具を挿入したり引き抜いたりして自動で行う仕組みにするという点について言及した。【００１８】  以上が基本構造で、再度繰り返すようであるが、アラーム７０が鳴るという基本性能をシステム上、当該試験時等計時用時計のメカ番号あるいは受験番号等を電波で集中管理装置に送るという手段も当然に発想できる応用である。この応用はアラーム７０と同時並行で行ってもよい。付記しておくと、前記検知スイッチ３０に関しては最初の検知状態からいったん解除されタイマー逆算開始後に再度検知されるとタイマー逆算がリセットされる仕組みが望ましかろう。このとき前記収納体に収納された文具がロックされる機能を付加すると制限時間到来時以後に筆記具不使用状態にすることが出来る。また実施例２は設定時刻が到来すると同時にタイマー逆算がスタートすると云う方式にも応用可能でこの場合、タイマー逆算開始スイッチ１２０の機能は、図３との絡みで、収納体１ａ，１ｂから文具を引き抜いた時刻と試験開始時刻との間の時間を計測する機能ということになり、当該機能を備えることにより利用者の反応時間をも計測可能な応用事例が考えられる。【００１９】  上述のように構成された試験時等計時用時計の使用方法を図３に基づき説明する。先ず、試験実施者、監督官、講師などが予め準備した筆記具及び消しゴムが各々収納体１ａ及び１ｂにセットされた試験時等計時用時計を試験前に受験生に与える。若しくは、システムの一環として予め机にネジやマグネットなどで固定させておく。テスト開始前の受験番号や氏名などの記入は原則として試験開始後に行う。つまり、受験番号や氏名などの記入は試験時間に含まれることとする。時間設定スイッチ１３０を試験実施者、試験監督官、講師、自習者などが操作してあらかじめ逆算対象時間を入力し、同時に、時計１１０に接続されたタイマー逆算開始時間セットスイッチ１５０により、試験開始時間を設定しておく。試験開始時刻になると公的に試験開始となるが実際には受験生が筆記具若しくは消しゴムを収納体１からいずれか１つだけでも引き抜けば電池８０を含むばね９０のアとイ、ウとエ、オとカ、キとクとのいずれかの並列回路の通電によりタイマー逆算開始スイッチ１２０が入り、試験や演習の開始となる。【００２０】  筆記具や消しゴムを抜いて受験番号や氏名などの記入を済ませ試験に取り組む。試験の制限時間前に筆記具と消しゴムを全て収納すると検知スイッチ３０を含む直列回路が通電してリセット手段４０が働き、タイマー２０の逆算を解除する。もし、制限時間ジャストに逆算が達した場合にはスピーカー７０からアラーム音が鳴るか、若しくは、それとは別に又は同時に試験実施者等側が保有する中央管理装置への電波等信号の送信により当該試験時等計時用時計の製造番号若しくは受験番号等が自動的に通知される。後は段落００１９の最���から順番に操作すれば再使用できる。以上が使用方法で、付記すると、特に大規模な試験実施の場合、時間設定スイッチ１３０及びタイマー逆算開始時間セットスイッチ１５０は受験者側が操作不可能なように試験実施者等側が保有する中央管理装置からの遠隔操作により電波などを用いて操作する応用例が考えられる。また、受験番号や氏名等の記入を試験時間内に含めないようにするための装置及び回路設計等の余地も多分にあると思われる。【００２１】  この考案の試験時等計時用時計は、制限時間終了時までに収納体１ａ，１ｂに完全に筆記具や消しゴムを収納することによりタイマー２０の逆算を解除し、制限時間超過をアラーム７０や電波などで試験監督官などに知らせ、場合によっては筆記具や消しゴムをロックする機能をも付加するので、受験者や自習者が制限時間到達時に於いて筆記具の使用を禁止することができ、なおかつ筆記具が不使用の状態であることを証明することができる。また、収納体１からの筆記具や消しゴムの引き抜きにより自動的にタイマー２０の逆算が開始する方式であり、追加して、設定時刻到来時のタイマー２０の逆算開始、及び、筆記具や消しゴムの引き抜き時の入力信号による設定時刻に対する受験者の反応時間の計測機能保持への自明な応用例も存在するなど試験実施者側のあらゆるニーズや様々な事情に対応できる機能を導入するなどすることにより実施例１よりはるかに簡便かつ機能的に、大人数な場合でも一斉試験を実施することができ、将来有望な試験実施システムとしての応用が期待できる。
【符号の説明】１      収納体
１ａ    筆記具収納体
１ｂ    消しゴム収納体
１０    箱
２０    タイマー
３０    検知スイッチ
４０    リセット手段
５０    セットスイッチ
６０    タイマー逆算解除手段（リセット手段）
７０    スピーカー
８０    電池
９０    ばね
１００  試験時等計時用時計
１１０  時計
１２０  タイマー逆算開始スイッチ
１３０  時間設定スイッチ
１５０  タイマー逆算開始時間セットスイッチ
【図１】
0003159130.tif 000003
【図２】
0003159130.tif 000004
【図３】
0003159130.tif 000005
【手続補正書】
【提出日】平成22年2月10日(2010.2.10)
【手続補正１】
【補正対象書類名】実用新案登録請求の範囲
【補正対象項目名】全文
【補正方法】変更
【補正の内容】
【実用新案登録請求の範囲】
【請求項１】
所定時間を経過するとアラーム信号を発するタイマーと、予め定められた個数の文具を各々収納する収納体と、前記各収納体内に前記文具が収納されたことを検知する検知スイッチと、前記収納体に予め定められた個数の文具が収納されたことを前記検知スイッチが検出したことに応答して前記タイマーをリセットするリセット手段とを備えたことを特徴とする試験時等計時用時計。
【手続補正２】
【補正対象書類名】図面
【補正対象項目名】図２
【補正方法】変更
【補正の内容】
【図２】
0003159130.tif 000006